(57)【要約】【課題】外部のあらゆる方向からの衝撃を充分に緩和しかつヘルメット内部への熱伝導性を小さくし、しかも作業環境に応じて着脱交換可能にして作業性に優れた二重安全ヘルメットを提供する。【解決手段】ヘルメット本体１１０の表面に沿って所定の間隙２００を介して形成した補助ヘルメット１２０を有し、前記ヘルメット本体１１０の表面と前記補助ヘルメット１２０との前記間隙２００にスプリング機構１３０を設けて前記補助ヘルメット１２０を支持すると共に、前記ヘルメット本体１１０に前記補助ヘルメット１２０を着脱可能に装着したことを特徴とする二重安全ヘルメット。【選択図】図１
0003183063.tif 000002
【実用新案登録請求の範囲】
【請求項１】
ヘルメット本体（１１０）の表面に沿って所定の間隙（２００）を介して形成した補助ヘルメット（１２０）を有し、前記ヘルメット本体（１１０）の表面と前記補助ヘルメット（１２０）との前記間隙（２００）にスプリング機構（１３０）を設けて前記補助ヘルメット（１２０）を支持すると共に、前記ヘルメット本体（１１０）に前記補助ヘルメット（１２０）を着脱可能に装着したことを特徴とする二重安全ヘルメット。
【考案の詳細な説明】
【技術分野】
【０００１】  本考案は、安全二重ヘルメットに関するものである。
【背景技術】
【０００２】  危険をともなうオートバイ等の運転者や鉱山、建設現場、工場等での作業者は、自己の転倒や転落、或いは落下物、飛来物、移動体との衝突等から頭部を守るためヘルメットを着用する。【０００３】この着用するヘルメットは、断熱及び緩衝用として一層〜三層構造のヘルメット本体と、このヘルメット本体を頭部に装着する着装体とからなる。
ヘルメット本体は、材質をＦＲＰ、ポリカーボネート、ベークライト合材等の硬質プラスチックや、チタン合金、アルミニウム合金等の軽合金を用いて一層〜三層の一体構造にして半球形凹状に形成される。【０００４】着装体は、塩化ビニル板にポリウレタン材等を重合縫合させて冠状に成形して頭部に被せてヘルメット本体との間に所定間隔の緩衝用空間を設ける頭部着装具と、頭部着装部の左右両側に取り付けた顎装着具とからなる。
【考案の概要】
【考案が解決しようとする課題】
【０００５】ヘルメット本体が一体構造であるため、外部より衝撃を受けた場合、ヘルメットで全衝撃を受けてしまい、その衝撃を頭上の緩衝用空間によりある程度は緩和させることはできるものの、充分な衝撃緩和効果が得られず、衝撃による頭部損傷を惹起し甚だ危険である。【０００６】さらに、ヘルメット本体が一体構造であるため、ヘルメットの表層に太陽光等の高温度の放射熱や輻射熱を受けるとヘルメット内部に伝導して充満し、充満した熱気により装着者が熱射病、熱中症等を発症する等の危険性を伴う。【０００７】  本考案は、従来のヘルメット構造がもつ前記課題を解決するため、外部からの衝撃を充分に緩和しかつヘルメット内部への熱伝導性を小さくし、しかも用途に応じて着脱交換可能にして作業性に優れた二重安全ヘルメットを提供する。
【課題を解決するための手段】
【０００８】上記課題を満足させる本考案の基本的な技術構成は、次の（１）の通りである。
（１）、ヘルメット本体１１０の表面に沿って所定の間隙２００を介して形成した補助ヘルメット１２０を有し、前記ヘルメット本体１１０の表面と前記補助ヘルメット１２０との前記間隙２００にスプリング機構１３０を設けて前記補助ヘルメット１２０を支持すると共に、前記ヘルメット本体１１０に前記補助ヘルメット１２０を着脱可能に装着したことを特徴とする二重安全ヘルメット。
【考案の効果】
【０００９】  本実施例の二重安全ヘルメット１００は、前記構成により、外部からの衝撃に対して、補助ヘルメット１２０、スプリング機構１３０、ヘルメット本体１１０、頭部着装具１５０の順に緩衝して頭部への衝撃を充分に緩和して安全を保持する。
更に外部からの熱に対しては、補助ヘルメット１２０、前記通気性の間隙２００、ヘルメット本体、ヘルメット本体１１０内部の緩衝用空間２２０により熱伝導性を小さくし、ヘルメット装着による快適な作業を維持する。
また作業の環境に応じて補助ヘルメット１２０を着脱交換可能にしてあるので作業環境に対応して着脱し作業性を一段と良好に維持することができる等々の優れた効果を呈する。
【図面の簡単な説明】
【００１０】
【図１】本考案の実施例を示す説明図であり、（１）は二重安全ヘルメットの一部透視図を含む全体の側面説明図である。（２）は補助ヘルメット１２０の一部透視図を含む全体の側面説明図である。（３）はヘルメット本体１１０の一部透視図を含む全体の側面説明図である。つまり（２）に示す補助ヘルメット１２０を（３）に示すヘルメット本体１１０に矢印に示すように被せることにより（１）に示す二重安全ヘルメットが構成される。
【考案を実施するための形態】
【００１１】  本考案を実施するための形態は、以下の実施例により詳細に説明する。
【実施例１】
【００１２】本考案の二重安全ヘルメットの実施例を図１に示す。
図１（１）において、二重安全ヘルメット１００は、ヘルメット本体１１０と、補助ヘルメット１２０と、スプリング機構１３０と、着脱機構１４０と、頭部着装具１５０と、顎装着具１６０とからなる。【００１３】ヘルメット本体１１０と補助ヘルメット１２０は、材質をＦＲＰ、ポリカーボネート、ベークライト合材等の硬質プラスチックや、チタン合金、アルミニウム合金等の軽合金を用いて一層〜三層の一体構造にして半球形凹状に形成してある。またヘルメット本体１１０と補助ヘルメット１２０との間には緩衝用と通気用の所定の間隙２００を形成する。【００１４】ヘルメット本体１１０は、図１（３）に示すように、頭部着装具１５０と顎装着具１６０を装備している。
頭部着装具１５０は、塩化ビニル板にポリウレタン材等を重合縫合させて頭部に対する所定間隔の緩衝用空間２２０を設けてヘルメット本体１１０の内側周縁に取り付けてある。
顎装着具１６０は、頭部着装部１５０の左右両側に取り付けて着用者の顎に掛けてヘルメット全体の着装状態を締める。【００１５】補助ヘルメット１２０は、図１（２）に示すように、ヘルメット本体１１０と補助ヘルメット１２０間において、補助ヘルメット１２０への上部からの衝撃と前後からの衝撃及び左右からの衝撃を緩衝するために補助ヘルメット１２０内面の頂部と前後及び両サイドにスプリング機構１３０を伸長状態で適宜数装着する。
スプリング機構１３０は、本例のようにコイルスプリングの他に、板バネスプリング、エアースプリング、等適宜なスプリングを採用することが出来る。各々先端部にヘルメット本体１１０の表面に当接するパッド１３１を設ける。【００１６】ヘルメット本体１１０への補助ヘルメット１２０の装着は、図１（２）と（３）に示すように補助ヘルメット１２０をヘルメット本体１１０の上方から矢印で示すように被せてスプリング機構１３０を半圧縮状態にまで押しつけてヘルメット本体１１０に着脱機構１４０により着脱可能に装着する。【００１７】これによりスプリング機構１３０は、図１の（１）に示すように前記ヘルメット本体１１０の表面と前記補助ヘルメット１２０との前記間隙２００内に半圧縮状態で位置して前記補助ヘルメット１２０を外部からの衝撃に対して緩衝機能を保持させて支持する。【００１８】着脱機構１４０は、本例はフックタイプを採用してあり、補助ヘルメット１２０の下端周縁の前後と両サイドに伸縮ゴム１４１を介して設けて、ヘルメット本体１１０の下端周縁の前部の挿入口１４２と後部及び両サイドに外側から内側に掛けて伸縮ゴム１４１の収縮力でヘルメット本体１１０に着脱可能に装着される。
着脱機構１４０の他の例としてはマグネット式着脱機構、マジックテープ式着脱機構、ホックボタン式着脱機構、ネジ螺合式着脱機構等の公知の着脱手段の採用が可能である。【００１９】本実施例の二重安全ヘルメット１００は、前記構成により、外部からの頭上衝撃、左右前後等の横衝撃に対して、補助ヘルメット１２０が外れることなく、補助ヘルメット１２０、スプリング機構１３０、ヘルメット本体１１０、頭部着装具１５０の順に衝撃を緩衝して頭部への衝撃を充分に緩和して安全を保持する。【００２０】更に外部からの熱に対しては、補助ヘルメット１２０、前記通気性の間隙２００、ヘルメット本体、ヘルメット本体１１０内部の緩衝用空間２２０により熱伝導性を小さくし、ヘルメット装着による快適な作業を維持する。【００２１】また作業の環境に応じて補助ヘルメット１２０を着脱交換可能にしてあるので作業性を一段と良好に維持することができる等々の優れた効果を呈する。
【産業上の利用可能性】
【００２２】本考案の二重安全ヘルメットは前述のように、優れた効果を呈するものであり、オートバイ等の運転者や鉱山、建設現場、工場等での作業者の、自己の転倒や転落、或いは落下物、飛来物、移動体との衝突等から頭部を守り、この種産業界の安全維持に貢献すること多大なものがある。
【符号の説明】
【００２３】１００：二重安全ヘルメット              １５０：頭部着装具
１１０：ヘルメット本体                  １６０：顎装着具
１２０：補助ヘルメット                  ２００：間隙
１３０：スプリング機構                  ２２０：緩衝用空間
１４０：着脱機構                        １３１：パッド
【図１】
0003183063.tif 000003